(57)【要約】【課題】  複雑な便座装置に関する商品知識が無くても便座装置の送信手段から送信された信号が便器側の受信手段で正確に受信されるか否かを簡単に確認できる。【解決手段】  便座装置３に着座・離座検出手段４を設ける。便座装置３に着座・離座検出手段４で検出した着座・離座情報を無線信号で送信する送信手段５を設ける。便器側に受信手段６を設ける。送信手段５で送信された信号を受信手段６で受信して該受信した信号に基づいて便器洗浄手段７により便器洗浄を行う便器装置Ａである。着座・離座検出手段４による着座・離座情報とは無関係に確認用スイッチ手段９の操作により送信手段５から無線信号を送信すると共に該着座・離座情報とは無関係に送信手段５から送信された信号を受信手段６で受信した際に受信確認の報知をする報知手段１０を設ける。【選択図】        図１
2006200150.tif 000002
【特許請求の範囲】
【請求項１】
便器洗浄手段を備えた便器と、上記便器に取付けられる便座装置とよりなり、便座装置に着座・離座検出手段を設け、便座装置に着座・離座検出手段で検出した着座・離座情報を無線信号で送信する送信手段を設け、便器側に上記送信された無線信号を受信する受信手段を設け、送信手段で送信された信号を受信手段で受信して該受信した信号に基づいて便器洗浄手段により便器洗浄を行う便器装置において、着座・離座検出手段による着座・離座情報とは無関係に確認用スイッチ手段の操作により送信手段から無線信号を送信すると共に該着座・離座情報とは無関係に送信手段から送信された信号を受信手段で受信した際に受信確認の報知をする報知手段を設けて成ることを特徴とする便器装置。
【請求項２】
便器装置の電源投入時に、確認用スイッチ手段の操作のみを受付けて送信手段から無線信号を送信すると共に該信号を受信手段で受信することで報知手段により報知することを可能とした確認受付けモードとなり、上記電源投入から所定時間経過後に確認受付けモードが終了して送信手段から送信される着座・離座に関する信号を受信手段で受信して該受信した着座・離座に関する信号に基づいて便器洗浄手段により便器洗浄を行う通常モードに移行するように設定してあることを特徴とする請求項１記載の便器装置。
【請求項３】
送信手段から送信される着座・離座に関する信号を受信手段で受信して該受信した着座・離座に関する信号に基づいて便器洗浄手段により便器洗浄を行う通常モードを有し、該通常モード中に確認用スイッチ手段の操作を行うことで、送信手段から着座・離座に関する信号と異なる信号を送信し、該信号を受信手段で受信することで報知手段により報知を行うことを特徴とする請求項１又は請求項２記載の便器装置。
【発明の詳細な説明】
【技術分野】
【０００１】
本発明は、便座装置から送信された着座や離座信号を便器側で受信して該受信信号に基いて便器洗浄を行うようにした便器装置に関するものである。
【背景技術】
【０００２】
従来から便器洗浄手段と、便座装置とを備えた便器装置が特許文献１により知られている。この特許文献１に示される従来例にあっては、便器洗浄手段と、便座装置とが一つの装置ブロックとして便器に組み込まれており、この一つの装置ブロックに着座・離座検出手段を設けると共に制御部を設け、着座・離座検出手段による着座・離座を検出し、この検出結果に基づいて制御部により局部洗浄手段の制御と便器洗浄手段の制御をおこなっている。
【０００３】
上記特許文献１に示された従来例にあっては、便器洗浄手段と、便座装置とが一つの装置ブロックとして便器に組み込まれているため、便座装置のみを形状や色や機能の異なる他の便座装置と交換しようとしても不可能であり、多様な顧客のニーズに対応できないという問題がある。また、便座装置は汚れやすいので取り外して掃除したりする場合、上記のような一体型のものは便座装置部分を取り外して簡単に掃除することができないという問題があり、更に、長期間の使用中に便座装置部分が損傷したりしやすいが、この場合でも便座装置部分のみを交換するということができず、局部洗浄手段と便器洗浄手段とが備わっている装置ブロック全体を交換する必要があり、交換に要するコストが高くなってしまうという問題がある。
【０００４】
これを解決するため、便器洗浄手段を備えた便器に、これとは別体の着座・離座検出手段を備えた便座装置を取付け、便座装置側と便器洗浄手段を備えた便器側とを配線で接続し、便座装置に設けた着座・離座検出手段により検出したデータに基づき便器側に設けた便器洗浄手段を制御することが考えられるが、この場合、便座装置側と便器洗浄手段を備えた便器側とを配線で接続してあるので、施工時に、便座装置側と便器洗浄手段を備えた便器側とを配線で接続する作業が必要であり、また、掃除をする際、上記接続するための配線が邪魔になるという問題があり、更に、水を使用するという便器装置の性質上、上記接続のための配線を伝って水が制御部に浸入するおそれあるので、制御部が絶縁構造でなければ有線化できないものであり、配線の接続部分を含めて防水構造が複雑となるという問題がある。更に、便座装置の保守、点検や掃除の際に便座装置を取り外して便座装置を動かしたり、床に置いたりした場合、便座装置側に設けた着座・離座検出手段が誤って操作されることがあり、この場合、便座装置側と便器洗浄手段を備えた便器側とを配線で接続してあるので、誤った着座・離座検出結果に基づいて便座洗浄手段により誤って便器洗浄をしてしまうという問題がある。
【０００５】
そこで、本発明者らは本発明に至る過程で便器洗浄手段を備えた便器に、これとは別体の着座・離座検出手段を備えた便座装置を取付け、便座装置に着座・離座検出手段で検出した着座・離座情報を無線信号で送信する送信手段を設け、便器側に上記送信された無線信号を受信する受信手段を設け、送信手段で送信された信号を受信手段で受信して該受信した信号に基づいて便器洗浄手段により便器洗浄を行うようにした便器装置を考えた。これだと、上記のように便座装置側と便器洗浄手段を備えた便器側とを配線で接続したものに比べて配線に邪魔されることなく掃除ができ、更に、便座装置を取り外して掃除したり、保守点検をする際に着座・離座検出手段が誤って操作されても、誤った着座・離座検出結果に基づいて便座洗浄手段により誤って便器洗浄を行うというようなことがないという効果がある。
【０００６】
しかしながら、この無線により送受信するものは、便器に対して便座装置を取付ける際に、便座装置に設けた送信手段と、便器側に設けた受信手段とが正確な位置関係となるように便座装置を便器に取付けなければ、送信手段から送信された送信信号を正しく受信できない。また、送信手段を受信手段に対して正確な位置関係になるように便座装置を便器に取付けたとしても、送信手段や受信手段が汚れなどにより正しく送受信されなかったり、あるいは、使用中、電池の電圧減少や赤外線のＬＥＤの経年劣化などによる受光素子での発生電圧不足などにより正しく受信されなかったりすることがある。したがって、便座装置を便器と別体とし、無線で信号を送受信する便器装置においては、送信手段から送信された信号が受信手段で正しく受信されているか否かを確認する必要ある。
【０００７】
一般に送信手段から送信された信号が受信手段で正しく受信されているか否かの確認をするには、送信手段、受信手段を備えた装置において、通常の使用と同様に送信手段から装置を動作させるための通常の運転のための信号を送信し、受信手段でこの信号を受信して装置を動作させることで送受信が正しく行われているか否かを確認するようにしている。
【０００８】
このような一般的な送受信の確認の方法を着座・離座信号に基づいて便器の自動洗浄を行うようにした便器装置において実施しようとすると、以下のようなことが考えられる。
【０００９】
すなわち、便座装置に設けた便座に座り、その後に離座するという実際の便器装置の使用状態を再現することで、着座・離座検出手段で検出した結果を送信手段で送信し、これを受信手段で受信して受信手段で受信した着座・離座信号に基づいて便器洗浄を自動的に行わせることで、送受信が正しく行われているか否かを確認することが考えられる。
【００１０】
ところが、便器装置においては、送信手段から送信された離座信号を受信してすぐに便座洗浄を行うと、着座中に一次的にお尻を浮かして離座した場合でも便座洗浄を行ってしまうので、離座信号を受信しても離座信号を受信後一定時間（例えば１０秒）以上着座信号を受信しないときは離座が確定したとして便器洗浄を行うが、離座信号を受信しても離座信号を受信後一定時間（例えば１０秒）未満に着座信号を受信すると、これは着座中に一次的にお尻を浮かしたと判断して便器洗浄は行わないようにする必要がある。このように、便器装置においては、送信手段からの信号を受信手段で正確に受信されている場合であっても便器洗浄が行われる場合と、便器洗浄が行われない場合とがあり、正しく受信しても便器洗浄が行われない場合には、送受信が正しく行われているか否かの確認ができない。このように、施工業者、メンテナンス業者、使用者が、便器自動洗浄のために送信手段で送信された信号が受信手段で正確に受信されているか否かを確認するには、複雑な機構の便器装置に関するそれなりの商品知識を知らなければ、送受信が正しく行われているか否かを確認することができないという問題がある。
【特許文献１】特開平９−１９５３５６号公報
【発明の開示】
【発明が解決しようとする課題】
【００１１】
本発明は上記の従来の問題点に鑑みて発明したものであって、複雑な便器装置に関する商品知識を知らなくても、便座装置に設けた送信手段から送信された信号が便器側に設けた受信手段で正確に受信されるか否かを簡単に確認できる便器装置を提供することを課題とするものである。
【課題を解決するための手段】
【００１２】
上記課題を解決するために本発明に係る便器装置は、便器洗浄手段１を備えた便器２と、上記便器２に取付けられる便座装置３とよりなり、便座装置３に着座・離座検出手段４を設け、便座装置３に着座・離座検出手段４で検出した着座・離座情報を無線信号で送信する送信手段５を設け、便器側に上記送信された無線信号を受信する受信手段６を設け、送信手段５で送信された信号を受信手段６で受信して該受信した信号に基づいて便器洗浄手段１により便器洗浄を行う便器装置Ａにおいて、着座・離座検出手段４による着座・離座情報とは無関係に確認用スイッチ手段９の操作により送信手段５から無線信号を送信すると共に該着座・離座情報とは無関係に送信手段５から送信された信号を受信手段６で受信した際に受信確認の報知をする報知手段１０を設けて成ることを特徴とするものである。
【００１３】
このような構成とすることで、送信手段５から送信された信号が受信手段６で正確に受信されているか否かを確認する場合には、確認用スイッチ手段９を操作して送信手段５から着座・離座検出手段４による着座・離座情報とは無関係に信号を送信し、この確認用スイッチ手段９を操作することにより送信された信号を受信手段６で受信した際に報知手段１０の報知により正確に受信しているか否かを知ることができ、複雑な機構の便器装置に関する商品知識がなくても簡単に送受信が正確に行われているか否かを確認することができる。
【００１４】
また、便器装置Ａの電源投入時に、確認用スイッチ手段９の操作のみを受付けて送信手段５から無線信号を送信すると共に該信号を受信手段６で受信することで報知手段１０により報知することを可能とした確認受付けモードとなり、上記電源投入から所定時間経過後に確認受付けモードが終了して送信手段５から送信される着座・離座に関する信号を受信手段６で受信して該受信した着座・離座に関する信号に基づいて便器洗浄手段７により便器洗浄を行う通常モードに移行するように設定してあることが好ましい。
【００１５】
便器装置Ａに電源を投入すると確認用スイッチ手段９のみの受付けを可能とする所定時間確認受付けモードとなるので、この確認受付けモードの時に確認用スイッチ手段９の操作をすることにより、送信手段５から無線信号が送信され、該信号を受信手段６で受信した場合には報知手段１０による報知で受信状態を確認することができ、正確に受信されていないことが確認されると、電源をオフにし、便座装置３の便器２への取付け位置の調整をやり直し、再度電源を投入して送受信が正確に行われているか否かを簡単に再確認できる。この確認受付けモードの時は確認用スイッチ手段９の操作のみを受付けて送信手段５から送信するだけなので、他の便座装置３に備わっている諸機能を動作させるための操作の受付けはなされず、したがって、便器装置Ａに対する商品知識の無い人でも電源投入時に確認用スイッチ手段９を操作するのみで簡単に送受信の確認ができる。また、電源投入から所定時間経過後に確認受付けモードが終了して送信手段５から送信される着座・離座に関する信号を受信手段６で受信して該受信した着座・離座に関する信号に基づいて便器洗浄手段７により便器洗浄を行う通常モードに移行するので、所定時間経過後は自動的に通常モードとなって、着座・離座に関する信号を送信手段５から送信してこの受信信号に基づいて便器洗浄手段１により便器２の自動洗浄を行うことができる。
【００１６】
また、送信手段５から送信される着座・離座に関する信号を受信手段６で受信して該受信した着座・離座に関する信号に基づいて便器洗浄手段７により便器洗浄を行う通常モードを有し、該通常モード中に確認用スイッチ手段９の操作を行うことで、送信手段５から着座・離座に関する信号と異なる信号を送信し、該信号を受信手段６で受信することで報知手段１０により報知を行うことが好ましい。
【００１７】
通常モード中であっても、確認用スイッチ手段９の操作を行うと送信手段５から着座・離座に関する信号と異なる信号が送信されるので、この着座・離座に関する信号と異なる信号が受信手段６で正しく受信されたか否かを報知手段１０の報知で確認でき、これにより、送信手段５が受信手段６に対して正確な位置関係になるように便座装置３を便器２に取付けてあったとしても、その後の使用中に、送信手段５や受信手段６が汚れなどにより正しく送受信されなかったり、あるいは、通常モードとしての使用中、電池の電圧減少や赤外線のＬＥＤの経年劣化などによる受光素子での発生電圧不足などにより正しく受信されないような場合でも、これを通常モードとしての使用中に簡単に確認できる。
【発明の効果】
【００１８】
本発明は、複雑な便座装置に関する商品知識を知らなくても、確認用スイッチ手段の操作により着座・離座検出手段による着座・離座情報とは無関係に送信手段から送信された信号が受信手段で正確に受信されるか否かを報知手段で報知することで簡単に確認でき、施工やメンテナンスが容易に行える。
【発明を実施するための最良の形態】
【００１９】
以下、本発明を添付図面に示す実施形態に基いて説明する。
【００２０】
便器２はボウル部１５を水で洗浄するための便器洗浄手段１を備えた水洗便器である。添付図面に示す実施形態では図５に示すように便器２の後部の内部にターントラップブロック１６を内装し、便器２の後部のターントラップブロック１６を配設した部分の上方位置には便器制御部ケース２１が設けてあり、更に、便器２には便器洗浄用管路１８が設けてあって、該便器洗浄用管路１８の一端が水道管のような水供給管２５に止水栓２０を介して接続してある。
【００２１】
ターントラップブロック１６のケース内には図１０に示すような変形性を有する材料で筒状に形成した可動自在なターントラップ１７が設けてあり、ターントラップ１７の一端部がボウル部１５の出口２６に接続してある。ターントラップ１７はターントラップブロック１６のケース外面側に設けた駆動モータ１９によりターントラップ１７の他端が上を向く姿勢と下を向く姿勢との間で可動自在となっている。
【００２２】
また、便器２の後部の上面側に設けた便器制御部ケース２１内には図６に示すように、便器洗浄用配管１８の途中に便器洗浄弁２２を設けると共に該便器洗浄弁２２及び上記駆動モータ１９を制御するためのマイコンよりなる便器側制御部１４が設けてあり、本発明においては、上記便器洗浄弁２２、ターントラップ１７を駆動する駆動モータ１９によりボウル部１５を水で洗浄するための便器洗浄手段１が構成してある。また、便器制御部ケース２１内には赤外線信号のような無線信号の受信手段６が設けてあり、更に、図７に示すように上記受信手段６とは別の便器側リモコン信号受信部４４が設けてある。
【００２３】
図５乃至図８に示すように、便器制御部ケース２１は便器２の後部上面に取付けられる下部ケース２１ａと、下部ケース２１ａに着脱自在に取付けられる上部ケース２１ｂとで構成してある。下部ケース２１ａに、上記便器洗浄弁２２、便器側制御部１４、受信手段６、便器側リモコン信号受信部４４が取付けてあり、上部ケース２１ｂを下部ケース２１ａに取付けることで、これら便器洗浄弁２２、便器側制御部１４、受信手段６、便器側リモコン信号受信部４４を覆うようになっている。
【００２４】
図５に示すように便器制御部ケース２１の前部の下部には受信手段６と前後に対向する位置に受信側窓３０が設けてあり、便器制御部ケース２１の前部の上部は前方に向けて突出した張り出し部３１となっており、張り出し部３１の下方が凹段部３２となっており、図８に示すように該凹段部３２の奥に上記受信側窓３０が設けてある。
【００２５】
便器２の後部上面の上記便器制御部ケース２１を設けた部分より前位置の中央部には便座固定金具３３が取付けてある。この便座固定金具３３は上記のように便器制御部ケース２１を便器２の後部上面に取付けた後に便器２に取付けられるものであり、この便座固定金具３３の取付けに当たっては便器制御部ケース２１を基準にして取付け位置の調整をして取付けるようになっている。
【００２６】
図８、図９に示すように、便座固定金具３３には前後方向に長くなったガイドレール３４ａと、被係合部３４ｂとが設けてある。
【００２７】
便座装置３は装置の主体を構成する便座制御部ケース３５に便座３６と、便蓋３７とを回動自在に取付けて構成してある。
【００２８】
便座制御部ケース３５内には図１の制御ブロック図に示すように、人体の局部を洗浄するための局部洗浄手段８ａ、人体の局部洗浄をした後に温風又は冷風により人体の局部を乾燥させるための乾燥手段８ｂ、便器２内の脱臭を行うための脱臭手段８ｃ等の便座側機能部８、マイコンよりなる便座側制御部１１、送信手段５が設けてある。また、便座制御部ケース３５には操作部３８、便座側リモコン装置１２からのリモコン信号を受信するための便座側リモコン信号受信部１３が設けてある。更に、便座装置３には着座・離座検出手段４が設けてあり、この着座・離座検出手段４は例えば便座３６に設けてある。そして、操作部３８や便座側リモコン装置１２や着座・離座検出手段４からの信号が便座側制御部１１に入力されることで便座側機能部８を制御するようになっている。上記送信手段５は赤外線信号のような無線信号を送信するためのものである。
【００２９】
便座制御部ケース３５の下面部には図９に示すように、前記便座固定金具３３に設けたガイドレール３４ａに前方より差し込まれる係合部材３９ａが設けてあり、この係合部材３９ａには係合部３９ｂが設けてある。また、便座制御部ケース３５の後端部の下部は後方に向けて突出した後方突出部４０となっており、この後方突出部４０の後方突出端面には図８に示すように送信手段５と前後方向に対向する位置に送信側窓４１が設けてある。
【００３０】
便座制御部ケース３５は便座側機能部８、便座側制御部１１、送信手段５を取付ける下ケース３５ａとこれらを覆うようにして下ケース３５ａに取付けられる上ケース３５ｂとで構成してある。
【００３１】
便座装置３を便器２に対して取付けるには便座装置３の下面部に設けた係合部材３９ａを便座固定金具３３に設けたガイドレール３４ａに前方から後方に向けてスライドして差し込んで係合部３９ｂを被係合部３４ｂに図９のように係合することで便座装置３を便器２に取付けるものである。なお、便座装置３の取外しに当たっては便座装置３を上方に持ち上げて係合部３９ｂと被係合部３４ｂとの係合を外した状態で便座装置３を前方に引き出すことで取り外すことができる。
【００３２】
このガイドレール３４ａ、被係合部３４ｂを有する便座固定金具３３の構成、係合部３９ｂを有する係合部材３９ａの構成はこの種の便座装置３の取付けに当たって公知のものであり、例えば特開２０００−１１６５７０号公報などにより従来から公知となっている技術を採用することができるので、詳細な説明は省略する。
【００３３】
便座装置３を便器２に取付けた状態で、便座装置３の便座制御部ケース３５の後面下部の後方突出部４０が便器２の後部上面に取付けてある便器制御部ケース２１の前部の下部の凹段部３２に嵌り込む。この状態で凹段部３２の奥面に設けた受信側窓３０と、後方突出部４０の後方突出端面に設けた送信側窓４１とが互いに近接対向し、送信側窓４１、受信側窓３０を介して便座制御部ケース３５内に設けた送信手段５と便器制御部ケース２１内に設けた受信手段６とが一直線状に対向し、送信手段５から送信された赤外線信号のような無線信号が受信手段６に正確に受信できるようになっている。つまり、本発明においては、送信手段５と受信手段６とにより非接触伝送手段を構成している。
【００３４】
便座装置３に設けた局部洗浄手段８ａの配管には図７に示すように水道管のような水供給管２５から洗浄水を供給するためのフレキシブル管２９が接続してある。
【００３５】
図１には上記構成の本発明の便器装置Ａの全体の制御ブロック図が示してある。この制御ブロック図に基づいて、以下、本発明の便器装置Ａの制御動作につき説明する。
【００３６】
使用者が便座装置３の便座３６に着座すると、着座・離座検出手段４により着座が検出され、着座後離座すると離座が検出される。着座・離座検出手段４により着座、離座が検出されると、便座側制御部１１に着座信号や離座信号が入力され、この着座信号や離座信号により便座側制御部１１により複数の便座側機能部８のうち１又は複数が制御される。この場合、一例を挙げると、例えば、着座信号が入力されると便座側機能部８の一つである脱臭手段８ｃがオンとなって脱臭を開始し、その後、離座信号が入力されると、離座信号の入力後一定時間経過後に脱臭手段８ｃがオフとなるように制御される。また、着座信号が入力されると人体の局部を洗浄するための局部洗浄手段８ａの動作受付けが可能な状態となり、その後、離座信号が入力されると局部洗浄手段８ａの動作受付け可能な状態が終了して動作受け付けができないように制御されるものであり、便座制御部ケース３５に設けた操作部３８や便座側リモコン装置１２を操作して局部洗浄手段８ａをオンさせる信号を便座側制御部１１に入力した場合、便座側制御部１１により上記動作受付けが可能な着座している期間だけ局部洗浄手段８ａを動作させるように制御し、上記動作受付けができない時（つまり着座していない時）は局部洗浄手段８ａを動作させないようになっている。これにより着座していない時に誤って局部洗浄手段８ａが動作して温水のような洗浄水を誤噴出することがないようにしている。
【００３７】
更に、着座・離座検出手段４により着座、離座が検出されると送信手段５により赤外線信号のような信号が送信される。送信手段５から送信された着座信号や離座信号は便器制御部ケース２１内に設けた受信手段６で受信され、受信手段６で受信した信号は便器側制御部１４に入力され、この入力された信号に基づいて便器側制御部１４により便器洗浄手段１を制御してボウル部１５内に水を流して便器洗浄を行うものである。
【００３８】
ここで、例えば、着座・離座検出手段４で着座を検知してから所定時間（例えば１０秒）経過すると着座確定として、その後、離座した場合には離座信号が送信手段５から送信され、受信手段６でこれを受信すると便器側制御部１４に設けたカウント手段によりカウントを開始し、カウントを開始してから一定時間（例えば１０秒）の間に着座信号を受信しない場合は上記一定時間（１０秒）経過後に便器洗浄手段１をオンとなるように制御して便器洗浄を行うものであり、便器側制御部１４に設けたカウント手段によりカウントを開始してから一定時間（例えば１０秒）の間に着座信号を受信するとカウントを停止し、この場合はカウントを開始してから一定時間経過しないので便器洗浄手段１による便器洗浄は行わない。
【００３９】
図１０には本実施形態における便器洗浄手段１による便器洗浄の動作の例を示している。本実施形態においては、図１０に示すように便器洗浄弁２２、ターントラップ１７を駆動する駆動モータ１９によりボウル部１５を水で洗浄するための便器洗浄手段１が構成してあり、図１０（ｆ）は便器洗浄手段１がオフの状態、つまり、溜め水復帰状態（待機状態）であり、この状態ではターントラップ１７他端の開口部が上を向いてターントラップ１７及びボウル部１５内に水Ｗが溜まっている。この状態で便器洗浄手段１がオンとなって便器洗浄が開示されると、まず、便器洗浄弁２２が開となって図１０（ａ）の矢印に示すように水Ｗがボウル部１５に流れ出す、次に、図１０（ｂ）、図１０（ｃ）のように駆動モータ１９を正転させてターントラップ１７の他端の開口が下を向くようにターントラップ１７を回動してボウル部１５及びターントラップ１７内に溜まっている水Ｗをターントラップ１７の他端から排出することで水Ｗと共に汚物を排出する。次に、駆動モータ１９を逆転させて図１０（ｄ）のようにターントラップ１７を回動させてターントラップ１７の他端の開口が上を向くようにする。この間、便器洗浄弁２２が開となっていて図１０（ｅ）のようにターントラップ１７の他端の開口部が上を向いた状態でもボウル部１５内に水Ｗが供給され、図１０（ｆ）のように他端の開口部が上を向いたターントラップ１７及びボウル部１５内に水Ｗが溜まると便器洗浄弁２２が閉となり、図１０（ｆ）の溜め水復帰状態（待機状態）になる。
【００４０】
上記のような本発明においては、便座装置３に設けた着座・離座検出手段４による検出情報に基づいて便器２に備えた便器洗浄手段１の制御をするに当たって、便座装置３側に送信手段５を設けて着座信号、離座信号を赤外線信号のような無線信号として送信し、この赤外線信号のような無線信号として送信された着座信号、離座信号を便器２側に設けた受信手段６で受信するという非接触伝送により信号の送受信を行っているので、現場施工の際に便器洗浄手段１を備えた便器２側と、着座・離座検出手段４を備えた便座装置３側とを配線で接続する工事が必要でなく、便器２に便座装置３を取付けるだけで、非接触伝送のための送信手段５と受信手段６とを対向させることができて現場施工が簡略化できるものである。
【００４１】
このように、便座装置３側の送信手段５と便器２側の受信手段６とを配線で接続する必要がないので、着座・離座検出手段４を備えた便座装置３として、形状、色、形態（機能）が異なる種々のものを用意し、顧客の好みの便座装置３を便器洗浄手段１を備えた便器２に取付けことで、送信手段５から送信した着座信号や離座信号を受信手段６で受信して便器洗浄を行うことができる。また、便座装置３が故障したり、損傷した場合でも、便座装置３のみを取り外して点検、修理ができ、また、別な便座装置３と交換することもできる。また、便座装置３に設けた送信手段５から送信した赤外線のような無線信号を便器２側に設けた受信手段６で受信するものであるから、制御部が絶縁構造である必要がなく、制御部の構造を簡略化することも可能となる。
【００４２】
また、便座装置３を掃除する際に便座装置３側と便器２側とを接続する配線がないので配線に邪魔されることなく掃除ができることになる。特に、この種の便器装置においては汚物が付着したり小便がかかる等の理由で便座装置３が最も汚れ易く、利用者が便座装置３を便器２から外して掃除するのが一般的であるが、この場合、配線がないのでいっそう掃除が容易にできるものである。
【００４３】
ここで、送信手段５から送信する無線信号を赤外線信号とすることで、便座装置３の保守、点検や掃除のために便座装置３を便器２から取り外した際に、便座装置３を移動したり、床等に置いたり、触ったりして着座・離座検出手段により誤った着座・離座検出が行われて送信手段５から赤外線信号が送信されたとしても、便座装置３を外すことで送信手段５と受信手段６とが向かい合っていないため受信手段６で赤外線信号が受信されることがない。このため、便座装置３を外して掃除などをしている際に、誤った着座・離座検出結果に基づいて便座洗浄手段により誤って便器洗浄をすることがないことになる。
【００４４】
上記のように便座装置３側に設けた送信手段５から着座信号、離座信号を無線信号として送信し、便器２側に設けた受信手段６により上記着座・離座信号を受信して便器２に備えた便器洗浄手段１の制御をすることで、上記したような諸特徴を有するものであるが、この場合、送信手段５と受信手段６との位置関係が正確な位置関係となり且つ送信手段５、受信手段６が正しく機能するようになっていなくては着座・離座検出手段４で検出して送信手段５で送信された着座・離座信号を受信手段６で正確に受信できず、受信手段６で受信した正しい着座・離座に関する信号に基づいて便座洗浄手段１により正確に便器洗浄がなされないことになる。
【００４５】
そこで、本発明においては、上記便座装置３側に設けた送信手段５から送信された信号の便器２側に設けた受信手段６における受信状態を簡単に確認できるようしたことに特徴があり、確認用スイッチ手段９の操作により着座・離座検出手段４による着座・離座情報とは無関係に送信手段５から無線信号を送信し、この着座・離座情報とは無関係に送信手段５から送信された信号を受信手段６で受信した際に報知手段１０により受信確認の報知をするようになっている。
【００４６】
以下、受信手段６における受信状態の確認につき説明する。図２には受信状態を確認するための制御ブロック図が示してあり、図３には受信状態確認の動作説明図が示してあり、図４には受信状態確認のフローチャートが示してある。
【００４７】
便器装置Ａを構成する便器２側、便座装置３にはそれぞれ電源が供給されるようになっており、この便器２側、便座装置３にはそれぞれ電源投入を検知するための電圧検知手段（電圧検知回路）６０、６１が設けてある。また、操作部３８や便座側リモコン装置１２には確認用スイッチ手段９が設けてあり、便器２側には報知手段１０が設けてある。
【００４８】
現場で便器２に便座装置３を取付け施工を行って便器装置Ａを構成すると、使用に当たって最初に便器装置Ａに電源を投入してオンにする。この電源投入を電圧検知手段６０、６１で検知すると図２、図３（ａ）のように便器装置Ａが電源投入から所定時間（例えば数十秒〜数分）だけ確認受付けモードとなる。
【００４９】
この確認受付けモードは着座・離座検出手段４による着座・離座検出や操作部３８や便座側リモコン装置１２の操作による便座側機能部８の操作を受け付けず、確認用スイッチ手段９の操作のみを受付けて送信手段５から無線信号を送信すると共に該信号を受信手段６で受信することで報知手段１０により報知することを可能としたモードである。
【００５０】
このように電源投入後所定時間は上記確認受付けモードとなるように設定してあるので、この確認受け付けモードの期間中に確認用スイッチ手段９を操作すると、送信手段５から送受信確認のための確認用信号が無線で送信される。この場合、送信手段５が受信手段６に対して正しい位置関係となるように便座装置３が便器２に取付けてあると、上記送信手段５から送信された確認用信号を便器２側に設けた受信手段６で正確に受信し、その受信状態が報知手段１０により報知されるので、施工者はこの報知手段１０の報知で正しく受信されていることを確認することができる。報知手段１０としては音による報知、光による報知、文字による報知等があり、これらを単独で、あるいは複数組み合わせることで受信状態を報知するようになっている。また、受信レベルに応じて受信状態を段階的に報知するようにしてもよい。
【００５１】
確認受付けモードの期間中に確認用スイッチ手段９を操作しても報知手段１０により正しく受信されているという報知がなされない場合には、便座装置３の便器２への取付け位置の調整を行い（電源投入から所定時間経過した場合には一旦電源を切ってから取付け位置の調整を行い、その後、再度電源を投入して確認受付けモードとする）、再度確認用スイッチ手段９を操作して受信状態の確認を行うものであり、このようにして複雑な機構の便器装置Ａに関する商品知識を知らなくても誰でも簡単に便座装置３を送信手段５が受信手段６に対して正しい位置関係となるように施工することができる。
【００５２】
上記のように電源投入後確認受付けモードとなり、所定時間が経過すると、確認受付けモードがタイムアップして終了し、その後、送信手段５から送信される着座・離座に関する信号を受信手段６で受信して該受信した着座・離座に関する信号に基づいて便器洗浄手段７により便器洗浄を行う通常モードに移行する。
【００５３】
この通常モードにおいては、既に述べたように、着座・離座検出手段４により着座、離座が検出された着座信号や離座信号が便座側制御部１１に入力されて複数の便座側機能部８のうち１又は複数が制御される。着座信号が入力されると便座側機能部８の一つである脱臭手段８ｃがオンとなって脱臭を開始し、その後、離座信号が入力されると、離座信号の入力後一定時間経過後に脱臭手段８ｃがオフとなるように制御され、また、着座信号が入力されると人体の局部を洗浄するための局部洗浄手段８ａの動作受付けが可能な状態となり、その後、離座信号が入力されると局部洗浄手段８ａの動作受付け可能な状態が終了するように制御される。上記動作受付け可能モードで便座制御部ケース３５に設けた操作部３８や便座側リモコン装置１２を操作して局部洗浄手段８ａをオンさせると局部洗浄手段８ａを動作して着座している人の局部洗浄を行う。また、着座・離座検出手段４により着座、離座が検出されると、送信手段５により着座・離座信号が送信され、便器２側に設けた受信手段６により着座・離座信号を受信すると、着座・離座信号に基づいて便器洗浄手段１が制御されて便器２の自動洗浄が行われる。
【００５４】
ところで、長期間使用している間に、送信手段５や受信手段６が汚れなどにより正しく送受信されなかったり、あるいは、使用中、電池の電圧減少や赤外線のＬＥＤの経年劣化などによる受光素子での発生電圧不足などにより正しく受信されなかったりすることがある。
【００５５】
そこで、本発明においては、図３（ｂ）、図４に示すように、上記通常モード中に確認用スイッチ手段９の操作を行うことで、送信手段５から着座・離座に関する信号と異なる送受信確認用の信号を送信し、該送受信確認用の信号を受信手段６で受信した場合には報知手段１０により報知して通常モード中であっても送受信が正しく行われているか否かの確認ができるようになっている。これにより電源を切ることなく、通常モードのままいつでも送受信状態の確認ができることになる。
【００５６】
なお、操作部３８や便座側リモコン装置１２に確認用スイッチ手段９を設けるに当たって、操作部３８や便座側リモコン装置１２に本来設けられる便座側機能部８を操作するための複数の操作スイッチ用釦４５とは別に確認用スイッチ手段９となる釦を設けてもよく、あるいは、便座側機能部８を操作するための操作スイッチ用釦４５を確認用スイッチ手段９の釦として兼用してもよい。
【００５７】
兼用する場合は、例えば、電源投入後の確認受付けモードの間だけは操作部３８や便座側リモコン装置１２に設けらた便座側機能部８を操作するためのすべての操作スイッチ用釦４５又は特定の操作スイッチ用釦４５が確認用スイッチ手段９の釦として機能するように設定してあり、したがって、電源投入後の確認受付けモードの間に操作部３８や便座側リモコン装置１２のいずれかの操作スイッチ用釦４５又は特定の操作スイッチ用釦４５を操作すると、送信手段５から信号が送信され、この信号を受信手段６で受信すると報知手段１０で報知するようになっており、確認受け付けモードが終了して通常モードに切り換ると操作部３８や便座側リモコン装置１２に設けた各操作スイッチ用釦４５は単独で操作すると各操作スイッチ用釦４５が本来対応している各便座側機能部８を操作するための操作スイッチ用釦としてのみ機能するように設定してある。
【００５８】
また、通常モード中に操作部３８や便座側リモコン装置１２に設けた便座側機能部８を操作するための複数の操作スイッチ用釦４５を任意の複数又は特定の複数同時に操作すると該任意の複数又は特定の複数の操作スイッチ用釦４５が確認用スイッチ手段９の釦として機能するように設定してある。
【００５９】
このように操作部３８や便座側リモコン装置１２に設けらた便座側機能部８を操作するための操作スイッチ用釦４５を隠しキーとして利用して確認用スイッチ手段９を構成することで、操作部３８や便座側リモコン装置１２のスイッチ用釦の数が増加せず、構成が簡略化できるものである。
【００６０】
なお、本発明の便器装置Ａには更に、図１のように便器洗浄手段１を制御するための便器側リモコン装置４３を設け、この便器側リモコン装置４３を操作した場合も便器洗浄手段１を制御して便器２の洗浄を行うようにしてもよい。
【００６１】
便器側リモコン装置４３からの信号は便器側リモコン信号受信部４４で受信され、便器側制御部１４により便器洗浄手段１を制御して便器２を洗浄するようになっている。
【００６２】
便器側リモコン装置４３と便座側リモコン装置１２とは別体で別々のリモコン装置となっており、前述のように着座・離座検出手段４を備えた便座装置３として、形状、色、形態（機能）が異なる種々の便座装置３を便器２に取付けても、便座装置３側に関係なく便器側リモコン装置４３を操作することで便器洗浄を行うことができる。このため、便座側リモコン装置１２を有さない便座装置３を便器２に取付けることも可能となる。
【００６３】
なお、添付図面に示す実施形態では便器２にターントラップ１７を設けて封水をし、ターントラップ１７を駆動することで排水するようにした便器装置Ａの例を示したが、ターントラップ１７を設けることなく、ロータンクを設けてロータンク内の排水口を開閉する便器洗浄弁２２を開としてロータンク内の水をボウル部１５に流して便器洗浄を行うもの、あるいは、水道直結式で、便器洗浄弁２２を開として水道水を直接ボウル部１５内に流して便器洗浄を行うものであってもよく、この場合には便器洗浄弁２２により便器洗浄手段１が構成される。
【図面の簡単な説明】
【００６４】
【図１】本発明の制御ブロック図である。
【図２】同上の送受信の確認をするための制御ブロック図である。
【図３】（ａ）は同上の確認受付けモード中における送受信の確認を説明するための動作説明図であり、（ｂ）は同上の通常モード中における送受信の確認を説明するための動作説明図である。
【図４】同上の送受信の確認をするためのフローチャートである。
【図５】本発明の便器装置の断面図である。
【図６】同上の上部カバーを外した状態の平面図である。
【図７】同上の斜視図である。
【図８】同上の便器に便座装置を取付ける前の状態の斜視図である。
【図９】同上の便器に取付けた便座固定金具に便座装置を取付けている部分の断面図である。
【図１０】（ａ）乃至（ｆ）は同上の洗浄手段による便器洗浄の動作順序を示す説明図である。
【符号の説明】
【００６５】
１  便器洗浄手段
２  便器
３  便座装置
４  着座・離座検出手段
５  送信手段
６  受信手段
７  便器洗浄手段
９  確認用スイッチ手段
１０  報知手段
【図１】
2006200150.tif 000003
【図２】
2006200150.tif 000004
【図３】
2006200150.tif 000005
【図４】
2006200150.tif 000006
【図５】
2006200150.tif 000007
【図６】
2006200150.tif 000008
【図７】
2006200150.tif 000009
【図８】
2006200150.tif 000010
【図９】
2006200150.tif 000011
【図１０】
2006200150.tif 000012